(57)【特許請求の範囲】
【請求項１】
デッキボードの表面に沿う仮想の中心線の両側にそれぞれ外側、中央側及び中間部の３本の滑り止めテープを所定の間隔でほぼ平行に且つ前記デッキボード表面から所定の高さに突出して取り付けられた合成樹脂製パレットにおいて、
中間部の前記滑り止めテープの両端近傍に、前記デッキボード表面からの高さを部分的に他の前記滑り止めテープの前記デッキボード表面からの高さよりやや低くした、高さの低い部分を形成したことを特徴とする合成樹脂製パレット。
【請求項２】
前記中心線の両側に複数の円筒状積載物をそれぞれ２列に並べて積載した時、中間部と中央側の前記各滑り止めテープが、前記中心線寄りに位置する各１列における円筒状積載物の底部を受ける位置に設けられ、且つ中間部の前記滑り止めテープにおける前記高さの低い部分が、前記中心線寄りに位置する各１列の最も端部側に位置する２つの前記円筒状積載物の底部が乗る位置に形成されていることを特徴とする請求項１に記載の合成樹脂製パレット。
【発明の詳細な説明】
【０００１】
【発明の属する技術分野】
本発明は合成樹脂製パレットに関し、更に詳細にはデッキボードに複数本の滑り止めテープを所定の間隔でほぼ平行に且つデッキボード表面から所定の高さに突出して取り付けた合成樹脂製パレットに関する。
【０００２】
【従来の技術】
従来、合成樹脂製パレット１には、図４に示されるように上下半分に分割された２つのパレット形成部材１ａ、１ｂを溶着一体化して形成されるものがある。このような合成樹脂製パレット１では、２方差しの場合には対向する一対の側面に、また４方差しの場合には全側面にフォーク差し込み孔２を備えて構成されている。
【０００３】
このような合成樹脂製パレット１において、そのデッキボード３の表面には、図３及び図４に示されるように、合成樹脂製パレット１上に乗せた積載物が滑らないように複数本の滑り止めテープ４ａ、４ｂ、４ｃが設けられている。この滑り止めテープ４ａ、４ｂ、４ｃは、デッキボード３の表面に沿う仮想の中心線５の両側においてそれぞれ外側、中央側及び中間部に３本、所定の間隔でほぼ平行に且つデッキボード３の表面から所定の高さに突出して取り付けられている。
【０００４】
従って、合成樹脂製パレット１のデッキボード３の表面全体では計６本の滑り止めテープ４ａ、４ｂ、４ｃが設けられている。便宜的に、デッキボード３の表面に沿う中心線５の両側においてそれぞれ外側の滑り止めテープを符号４ａで、中央側の滑り止めテープを符号４ｃで、またこれら２つの滑り止めテープの間に存在する中間部の滑り止めテープを符号４ｂで示すことにする。
【０００５】
【発明が解決しようとする課題】
ところで、この種の合成樹脂製パレット１ではデッキボード３上に積載物を乗せ、その前後端（図３で見て上端側及び下端側）を支持した時、積載物の重みにより中央部（中心線５の通る部分）が僅かに下がるような撓みが生じることがある。
【０００６】
この積載物として、合成樹脂製パレット１のデッキボード３上に、図４に示されるように多数の円筒状容器６を中心線５に沿ってその両側にそれぞれ２列（合成樹脂製パレット全体では４列）に並べて積載する際、中心線５の片側について見た時、外側の１列の各円筒状容器６の底部がデッキボード３の外側と中間部の各滑り止めテープ４ａ、４ｂ上に乗り、内側の１列の各円筒状容器６の底部が中間部と中央側の各滑り止めテープ４ｂ、４ｃ上に乗るように整列させられる。
【０００７】
その場合、合成樹脂製パレット１の前後端を支持した時に前述したような撓みが起こると、図４から明らかなように中心線５寄りに位置する内側の各１列における各円筒状容器６は、その底部が中央側の滑り止めテープ４ｃ上から僅かに離れ、浮き上がったような状態になる。このように、中心線５寄りに位置する各１列における円筒状容器６の底部が中央側の滑り止めテープ４ｃ上から離れると、中央側に傾くような作用力が各円筒状容器６に発生し、隣接する円筒状容器６の上部が強くあたり互いに寄り掛かる形となる。
【０００８】
その結果、中心線５寄りに位置する各１列における円筒状容器６は、図４に矢印７で示される３ヶ所で円筒状容器６が支えられた状態となる。このような３ヶ所のみによって支えられる場合、この容器６が円筒状であることから極めて不安定な状態となる。そのため、合成樹脂製パレット１に円筒状容器６を図３及び図４に示されるように並べて積載し、これを前後端部で支持する駆動コンベヤ上に乗せて搬送している時に停止させると、慣性力等によって搬送方向側の端部（図３で見て左側又は右側の端部）に位置する円筒状容器６が転がり出すことがあった。
【０００９】
仮に、搬送方向側に位置する円筒状容器６が合成樹脂製パレット１のデッキボード３上から転がり落ちると、これと同じ列で且つ隣接していた円筒状容器６が側方の支えを失って同様にして合成樹脂製パレット１のデッキボード３上から転がり落ちる恐れもある。
【００１０】
本発明の目的は、かかる従来の問題点を解決するためになされたもので、デッキボードの表面に、この表面に沿う中心線の両側にそれぞれ３本の滑り止めテープが設けられている場合、多数の円筒状の積載物を整列させて乗せて搬送させた時等に撓みによってその一部が落下しないようにした合成樹脂製パレットを提供することにある。
【００１１】
【課題を解決するための手段】
本発明は合成樹脂製パレットであり、前述した技術的課題を解決するために以下のように構成されている。すなわち、本発明は、デッキボードの表面に沿う仮想の中心線の両側にそれぞれ外側、中央側及び中間部の３本の滑り止めテープを所定の間隔でほぼ平行に且つ前記デッキボード表面から所定の高さに突出して取り付けた合成樹脂製パレットにおいて、中間部の滑り止めテープの両端近傍に、デッキボード表面からの高さを部分的に他の滑り止めテープのデッキボード表面からの高さよりやや低くした、高さの低い部分を形成したことを特徴とする。
【００１２】
＜本発明における具体的構成＞
本発明の合成樹脂製パレットは、前述した必須の構成要素からなるが、その構成要素が具体的に以下のような場合であっても成立する。その具体的構成要素とは、前記中心線の両側に複数の円筒状積載物をそれぞれ２列に並べて積載した時、中間部と中央側の各滑り止めテープが、中心線寄りに位置する各１列における円筒状積載物の底部を受ける位置に設けられ、且つ中間部の滑り止めテープにおける高さの低い部分が、中心線寄りに位置する各１列の最も端部側に位置する２つの円筒状積載物の底部が乗る位置に形成されていることを特徴とする。
【００１３】
本発明の合成樹脂製パレットによると、この合成樹脂製パレットのデッキボード表面に沿う仮想の中心線の両側に複数の円筒状積載物をそれぞれ２列に並べて積載した時、中心線寄りに位置する各１列の円筒状積載物は中央側と中間部との各滑り止めテープ上に乗る。
【００１４】
そして、この合成樹脂製パレットを、その前端部及び後端部を支持して移動する駆動コンベヤ等に乗せて搬送する時、当該合成樹脂製パレットに撓みを生じて中心線に沿った中央部が僅かに下がったとしも、中心線寄りに位置する各１列の最も端部側に位置する２つの円筒状積載物の底部が中間部の滑り止めテープにおける高さの低い部分に乗っているため、この円筒状積載物の底部は、幾分下がった中央側の滑り止めテープにも乗り、安定する。
【００１５】
その結果、円筒状積載物がデッキボード表面に前述したように乗った合成樹脂製パレットが、その前後端を支持して移動する駆動コンベヤ等で搬送される場合にでも停止時に中心線寄りに位置する各１列の最も端部側に位置する２つの円筒状積載物が搬送方向側に転がり落ちする恐れがなく、安定した搬送を行うことが可能となる。
【００１６】
【発明の実施の形態】
以下、本発明の合成樹脂製パレットを図に示される実施形態について更に詳細に説明する。図１には本発明の一実施形態に係る合成樹脂製パレット１０が示されている。この実施形態の合成樹脂製パレット１０は、図４に示される従来の合成樹脂製パレットと同様に側面にフォーク差し込み孔を備えると共に、表面が平坦なデッキボード１１を備えている。
【００１７】
デッキボード１１の表面には、この表面に沿い且つその長手方向に伸長する仮想の中心線１２の両側にそれぞれ外側、中間部及び中央側の３本（デッキボード表面全体では６本）の滑り止めテープ１３ａ、１３ｂ、１３ｃが所定の間隔でほぼ平行に且つデッキボード１１の表面から所定の高さに突出して取り付けられている。
【００１８】
これら各滑り止めテープ１３ａ、１３ｂ、１３ｃのデッキボード表面からの突出高さは基本的に同じであるが、中間部の滑り止めテープ１３ｂは、図２に示されるように両端近傍における高さが部分的に他の滑り止めテープのデッキボード表面からの高さよりやや低くされている。この部分は図１において影線を付けた符号１４で示す部分であり、以後「高さの低い部分」と称する。このような高さの低い部分１４は、図１から明らかなようにデッキボード全面では全部で４ヶ所存在する。
【００１９】
このように構成された本実施形態に係る合成樹脂製パレット１０によると、デッキボード１１の上に円筒状容器６を図３に示されるようにデッキボード１１の表面に沿う仮想の中心線１２の両側に円筒状容器６をそれぞれ２列に並べて積載した時、中心線１２寄りに位置する各１列の円筒状容器６は中央側と中間部との各滑り止めテープ１３ａ、１３ｂ上に乗る。
【００２０】
その際、中心線１２寄りに位置する各１列の最も端部側に位置する２つの円筒状容器６の底部は中間部の滑り止めテープ１３ｂにおける高さの低い部分１４に乗る。言い換えれば、ある特定の大きさ（直径）の円筒状容器６を中心線１２の両側に２列に並べて積載した時、中心線１２寄りに位置する各１列の最も端部側に位置する２つの円筒状容器６の底部が乗る位置にある中間部の滑り止めテープ１３ｂにおける一部の高さを低くするようにしている。
【００２１】
そして、この合成樹脂製パレット１０を、その前端部及び後端部を支持して移動する駆動コンベヤ等に乗せて搬送する時、当該合成樹脂製パレット１０に撓みを生じて中心線１２に沿った中央部が僅かに下がったとしも、中心線１２寄りに位置する各１列の最も端部側に位置する２つの円筒状容器６の底部が中間部の滑り止めテープ１３ｂにおける高さの低い部分１４に乗っているため、この円筒状容器６の底部は、幾分下がった中央側の滑り止めテープ１３ｃにも乗り、安定する。
【００２２】
その結果、円筒状容器６がデッキボード１１の表面に前述したように乗った合成樹脂製パレット１０が、その前後端を支持して移動する駆動コンベヤ等で搬送される場合にでも停止時に中心線１２寄りに位置する各１列の最も端部側に位置する２つの円筒状容器６が搬送方向側に転がり落ちする恐れがなく、安定した搬送を行うことが可能となる。
【００２３】
【発明の効果】
以上説明したように、本発明の合成樹脂製パレットによれば、デッキボードの表面に沿う仮想の中心線の両側にそれぞれ外側、中央側及び中間部の３本の滑り止めテープを所定の間隔でほぼ平行に且つデッキボード表面から所定の高さに突出して取り付ける時、中間部の滑り止めテープの両端近傍におけるデッキボード表面からの高さを、部分的に他の滑り止めテープのデッキボード表面からの高さよりやや低くしたことにより、前後端部を駆動コンベヤ等に乗せて搬送する際に撓みを生じて中心線に沿った中央部が僅かに下がったとしても、円筒状積載物が不安定となってデッキボードから落ちるおそれがなく、安定した搬送を行うことができる。
【図面の簡単な説明】
【図１】本発明の一実施形態に係る合成樹脂製パレットのデッキボード表面を示す平面図である。
【図２】図１に示される合成樹脂製パレットを２−２線に沿って部分的に切断して示す縦断面図である。
【図３】従来の合成樹脂製パレットのデッキボード表面に円筒状容器を配列して積載した状態を示す平面図である。
【図４】図２に示される、円筒状容器をデッキボード表面に積載した従来の合成樹脂製パレットの前後端部を支持することで中央部が撓んだ時の円筒状容器の滑り止めテープとの接触状態を示す側面図である。
【符号の説明】
６  円筒状容器
１０  合成樹脂製パレット
１１  デッキボード
１２  仮想の中心線
１３ａ  外側の滑り止めテープ
１３ｂ  中間部の滑り止めテープ
１３ｃ  中央側の滑り止めテープ
１４  高さの低い部分
【図１】
0004113301.tif 000002
【図２】
0004113301.tif 000003
【図３】
0004113301.tif 000004
【図４】
0004113301.tif 000005